(57)【特許請求の範囲】
【請求項１】
シリンダ錠の外筒の内周面に、その母線に沿って収納溝を形成し、この収納溝中に、外筒内周面の母線方向に延在し、抜け止めを施すと共に固体潤滑剤を含有した棒状の潤滑剤担体を半径方向に遊動可能に収納し、また、この潤滑剤担体の外面と収納溝の天井面との間に板ばね材による付勢ばねを弾装し、この付勢ばねの弾力により、潤滑担体を内筒外周面に押し付けるように付勢したことを特徴とするシリンダ錠の潤滑機構。
【発明の詳細な説明】
【０００１】
【発明が属する技術分野】
この発明は、新規なシリンダ錠の潤滑機構（以下単に潤滑機構という）に関する。
【０００２】
【従来の技術】
シリンダ錠と称される錠前には、ピンタンブラー錠、ディスクタンブラー錠、レバータンブラー錠、或いは先に本出願人が特願２００１−３１６８８５を以て提案したロータリーディスクタンブラー錠等種々のものがある。
【０００３】
【発明が解決しようとする課題】
シリンダ錠は、世界各地において、それこそ何百年にもわたって日常欠くことができないものとして不偏的に使用されているが、内筒が回転する機械装置であり、かつ通常外端が室外に露出しているから、長期間の使用によって内部に塵埃或いは雨水等の水分が侵入することを完全に防止することができない。
【０００４】
長期間の使用によって塵埃や水分が特に内筒と外筒との摺動面、所謂シアーラインに侵入すると、施解錠時における内筒の回転が渋くなり、使用感や使い勝手が悪くなるばかりでなく、ついにはタンブラーの動きも悪くなって誤作動や作動不良が生じるに致る、等種々の不都合がある。
【０００５】
この発明は、シリンダ錠の潤滑を長期間にわたって効率的に行うことができるシリンダ錠の潤滑機構を提供し、以て上記した不都合を解消することを目的としている。
【０００６】
【課題を解決するための手段】
上記の目的を達成するため、この発明は、シリンダ錠の外筒の内周面に、その母線に沿って収納溝を形成し、この収納溝中に、外筒内周面の母線方向に延在し、抜け止めを施すと共に固体潤滑剤を含有した棒状の潤滑剤担体を半径方向に遊動可能に収納し、また、この潤滑剤担体の外面と収納溝の天井面との間に板ばね材による付勢ばねを弾装し、この付勢ばねの弾力により、潤滑担体を内筒外周面に押し付けるように付勢したことを特徴とする。
【０００７】
【実施例】
以下、この発明の実施例を図面を参照して説明する。
図１及び図２はこの発明をレバータンブラー錠に適用した実施例を示す。
【０００８】
レバータンブラー錠は、図１及び図２に示すように、内周面の母線に沿ってカム溝１を形成した外筒２と、この外筒に回転自在に嵌合し、間隙を介して中心軸線方向に積層された複数の仕切板３、３を設けると共に、中心軸線に沿って鍵孔４を貫通させた内筒５と、この内筒５の母線に沿って延在し、内筒の外周部において半径方向に移動可能に案内されると共に、上記カム溝１と係合する外側縁が外方に突出する方向に付勢されたロッキングバー６とを有している。
【０００９】
また、仕切板の間の各スロット７に、夫々全体の形状が略Ｃ字形で一端部を揺動自在に軸支され、鍵孔に挿入された鍵の側端縁と干渉する方向に付勢されると共に、常態では内筒を軸線方向に貫通するバックアップピン８に係止され、かつ自由端部外側端縁にロッキングバー６の内側縁を受入れる解錠切欠９を形成したレバータンブラー１１が挿設されている。
【００１０】
そして、これらのタンブラー群の夫々が鍵孔に挿通された合鍵の対応する鍵溝と係合したとき、各レバータンブラー１１の解錠切欠９がロッキングバー６の内側縁と整合する(図示せず)ように構成されている。
【００１１】
したがって、合鍵を鍵孔４に挿入して内筒５を外筒２内で相対的に回動させると、カム溝１とロッキングバー６との間に生じる楔作用による、ロッキングバー６の内筒中心軸方向への移動が可能になり、換言すればレバータンブラー錠は解錠状態となって内筒５は解錠方向に回動する。
【００１２】
なお、図１及び図２において、符号１２はレバータンブラー１１、１１の一端を共通に貫通してこれらを回動自在に支承する支軸を示す。
【００１３】
上記外筒の内周面には、図２に示すように、時計盤面に換算して１２時の角度に位置に、その母線に沿って断面Ｔ字形の収納溝１３が形成されている。
【００１４】
この収納溝１３は内筒５に対向する底面が開いていて外筒内空間に連通している。換言すれば、収納溝１３中から内筒５の外周面を臨むことができる。
【００１５】
この収納溝１３中に、図１及び図２に示すように、断面Ｔ字形で、外筒の母線に沿って延在し、収納溝１３とほぼ同じ長さ棒状の固体潤滑剤担体１４（以下単に担体という）が内筒（外筒）の半径方向及び円周方向に遊動可能に収納されている。
【００１６】
また、この担体１４の外面（図で上面）には図面を明瞭にするため付番しない溝が長さ方向に沿って形成されており、この溝中に断面山形の板ばね材による付勢ばね１５が弾装されている。
【００１７】
この付勢ばね１５の自然状態における断面形状は図２に示すものより頂角が小さい、平たく言えば立っているものとし、したがって、付勢ばね１５が担体１４と収納溝１３の天井面との間に弾装されると、内筒半径方向に少し押し潰された付勢ばね１５は、元の断面形状に戻ろうとして担体１４を内筒５の外周面に弾圧する。
【００１８】
上記担体１４の材質は、例えばモーターのブラシの素材である黒鉛入り金属、具体的には例えば焼結金属棒の微細な隙間に黒鉛を充填したものとし、或いは、黒鉛の棒であってもよい。
【００１９】
また、担体に含侵させる潤滑材は、上記黒鉛に限定されることはなく、例えば二硫化モリブデン、ステアリン酸亜鉛、或いはステアリン酸リチウム等他の固体潤滑材を採用することができる。
【００２０】
但し、潤滑油等の液体のものは長期間の使用後変質したり固まったりするので不可である。
【００２１】
上記のように構成されたこの発明の一実施例による潤滑機構は、内筒半径方向における担体の抜け止めは、収納溝１３と担体１４の横断面における形状係合によって行われる。
【００２２】
また、担体１４の長さ方向における抜け止めは、付勢ばね１５が担体１４を内筒外周面に弾圧するときに生じる摩擦係合によって、或いは、図１に示すように担体１４の内端を内筒５の止め輪１６により、図３に示すように、担体１４の外端をシリンダ錠１７を扉１８に装着するカップ状のシリンダ筒１９により、夫々挟んで固定するようにしてもよい。
【００２３】
そして、上記のようにして外筒内周面に装着された担体１４は、施解錠時回動する内筒の外周面と摺接するので、その摺接面から黒鉛等の固体潤滑材が少しずつシアーライン、すなわち、外筒２と内筒５の摺動面に供給され、長期間にわたってシアーラインの潤滑が行われる。
【００２４】
図示のレバータンブラー錠の場合は、内筒の外周面は仕切板の外周縁が隙間を保って積層されている形態なので、内筒に供給された潤滑材は、仕切板の表面を経てタンブラー１１にも供給され、タンブラーの作動も長期間にわたって円滑にする。
【００２５】
なお、この発明は、図示の実施例に限定されず、種々に変形して実施することができる。例えば、図示のシリンダ錠はレバータンブラー錠であるが、これは前記したようにピンシリンダ錠、ディスクタンブラー錠、或いはロータリーディスクタンブラー錠等、種々のシリンダ錠に適用することが可能である。
【００２６】
また、図２に示すように、担体１４は時計盤面に換算して１２時の角度位置にあり、このレバータンブラー錠は、通常、内筒を施錠時時計方向に９０度回してデッドボルト操作後元の角度位置に戻し、解錠は反対方向に同じ操作をするので、担体１４は１８０度の角度範囲にわたって潤滑をする。
【００２７】
しかしながら、担体１４を時計盤面に換算して３時と９時の角度位置の２ヵ所に設ければ、内筒の全外周面を潤滑することができる。
【００２８】
【発明の効果】
以上の説明から明らかなように、この発明は、シリンダ錠の外筒の内周面に、その母線に沿って収納溝を形成し、この収納溝中に、抜け止めを施すと共に固体潤滑剤を含有した棒状の潤滑剤担体を半径方向に遊動可能に収納し、この潤滑剤担体を内筒外周面に押し付けるように付勢したから、シリンダ錠の通常の施解錠時、自動的に潤滑が行われる、という所期の効果を奏する。
【図面の簡単な説明】
【図１】この発明による潤滑機構を装備したレバータンブラー錠の一例を示す縦断面図。
【図２】その横断面図。
【図３】シリンダ錠の扉への装着の態様を説明するための線図的断面図。
【符号の説明】
１  カム溝
２  外筒
４  鍵孔
５  内筒
６  ロッキングバー
８  バックアップピン
９  解錠切欠
１１  レバータンブラー
１２  支軸
１３  収納溝
１４  担体
１５  付勢ばね
【図１】
0004125902.tif 000002
【図２】
0004125902.tif 000003
【図３】
0004125902.tif 000004